(57)【要約】【課題】本発明は、帯状のシート体に切り込みや薄肉を形成せずとも裂断予定部でシート体を裂断して加工することが可能となる八の字機構を用いたシート体を加工する方法、およびシート体を加工する装置を提供することを課題とする。【解決手段】帯状のシート体を当該シート体の全幅にわたって上下方向に把持する２対の把持手段によって、シート体を加工する方法であって、前記２対の把持手段を平面視で八の字状に配置する工程と、前記２対の把持手段によってシート体を上下方向に把持する工程と、前記２対の把持手段同士が互いに平面視で略平行になるように、前記２対の把持手段を互い近づく方向に移動させ、前記２対の把持手段の間で、前記シート体に折目をつける工程と、前記２対の把持手段を略平行状態を保ちながら、前記シート体に互いに離れる方向への張力を与えることによって、前記シート体を前記折目に沿って裂く工程とを含む。【選択図】  図１
2019126870.tif 000002
【特許請求の範囲】
【請求項１】
帯状のシート体を当該シート体の全幅にわたって上下方向に把持する２対の把持手段によって、シート体を加工する方法であって、
前記２対の把持手段を平面視で八の字状に配置する工程と、
前記２対の把持手段によってシート体を上下方向に把持する工程と、
前記２対の把持手段同士が互いに平面視で略平行になるように、前記２対の把持手段を互い近づく方向に移動させ、前記２対の把持手段の間で、前記シート体に折目をつける工程と、
前記２対の把持手段を略平行状態を保ちながら、前記シート体に互いに離れる方向への張力を与えることによって、前記シート体を前記折目に沿って裂く工程と、
を有するシート体を加工する方法。
【請求項２】
前記折目をつける予定位置が前記２対の把持手段の間になるように、前記シート体を移動させる工程をさらに有する、請求項１に記載のシート体を加工する方法。
【請求項３】
前記２対の把持手段は、それぞれ上側把持手段と下側把持手段を有する構成であることを特徴とする、請求項１または２に記載のシート体を加工する方法。
【請求項４】
前記２対の把持手段によって平面視で八の字状に形成される角度は、１０°乃至２０°であることを特徴とする、請求項１乃至３のいずれか１項に記載のシート体を加工する方法。
【請求項５】
前記２対の把持手段は、それぞれ少なくとも１つのローラを有し、
前記張力は、前記ローラの回転によって与えられることを特徴とする、請求項１乃至４のいずれか１項に記載のシート体を加工する方法。
【請求項６】
前記張力は、前記２対の把持手段が互いに離れる方向に移動することで与えられることを特徴とする、請求項１乃至４のいずれか１項に記載のシート体を加工する方法。
【請求項７】
前記シート体は、紙であることを特徴とする、請求項１乃至６のいずれか１項に記載のシート体を加工する方法。
【請求項８】
帯状のシート体を加工する装置であって、
平面視で八の字状に配置され、前記シート体を全幅にわたって上下方向に把持する２対の把持手段と、
前記２対の把持手段を略平行になるよう、前記２対の把持手段を互いに近づく方向に移動させ、前記２対の把持手段の間で、前記シート体に折目をつける第１駆動手段と、
前記２対の把持手段を略平行状態を保ちながら、前記シート体に互いに離れる方向への張力を与えることによって、前記シート体を前記折り目に沿って裂く第２駆動手段と、
を備えるシート体を加工する装置。
【請求項９】
前記シート体に前記折目をつける位置を決定し、前記折目をつける位置を合わせるために前記シート体を横方向に移動させる位置合わせ手段をさらに備える、請求項８に記載のシート体を加工する装置。
【請求項１０】
前記２対の把持手段は、それぞれ上側把持手段と下側把持手段を有する構成であることを特徴とする、請求項８または９に記載のシート体を加工する装置。
【請求項１１】
前記２対の把持手段によって平面視で八の字状に形成される角度は、１０°乃至２０°であることを特徴とする、請求項８乃至１０のいずれか１項に記載のシート体を加工する装置。
【請求項１２】
前記２対の把持手段は、それぞれ少なくとも１つのローラを備え、
前記第２駆動手段は、前記少なくとも１つのローラを回転させる構成であり、
前記張力は、前記ローラの回転によって与えられることを特徴とする、請求項８乃至１１のいずれか１項に記載のシート体を加工する装置。
【請求項１３】
前記ローラが回転によって、前記シート体に張力が付与されるときに、前記２対の把持手段が略平行の位置に保持する保持手段をさらに備える、請求項１２に記載のシート体を加工する装置。
【請求項１４】
前記第２駆動手段は、前記２対の把持手段を互いに離れる方向で且つ、横方向に移動させる構成であり、
前記張力は、前記２対の把持手段の前記移動によって与えられることを特徴とする、請求項８乃至１１のいずれか１項に記載のシート体を加工する装置。
【発明の詳細な説明】
【技術分野】
【０００１】
本発明はシート体を加工する方法、およびシート体を加工する装置に関する。より詳細にはシート体を上下方向に把持する２対の把持手段を有し、当該２対の把持手段が平面視で八の字状の配置から略平行の配置に移動させられ、シート体を裂くことにより、周縁を毳立たせたラベルを作成する八の字機構を用いたシート体を加工する方法、およびシート体を加工する装置に関する。
【背景技術】
【０００２】
日本酒やウイスキー等の容器には、他の商品と識別できるラベル等が貼着されている。これらのラベル等は、商品の銘柄等の情報を紙に印刷した印刷物である。これらのラベルに関して、商品に高級感や美感を持たせることを目的として、和紙等の繊維が長い紙に情報を印刷して、その紙の周縁を手作業で裂いて、ラベルの周縁で当該ラベルの繊維を毳立たせてフワフワとした綿毛のような形状にすることが行われている。
【０００３】
上述のようなラベルを製造する方法、および装置として特許文献１に係るものが公知となっている。特許文献１では、長尺に形成された和紙を用いて、和紙の幅方向に向かう分断予定部を長手方向における前後で把持して、分断予定部に長手方向の引張力を付与して和紙を分断する方法、および装置が開示されている。
【０００４】
しかしながら、特許文献１にかかる装置では、分断を適切な場所で行うために分断起点に切込刃によって切り込みを和紙に形成したり、分断予定部を薄肉で形成したりするなどの工程を必要する。
【０００５】
切込刃によって切り込みを形成した部分では、繊維が毳立った形状にはならず、分断予定部を薄肉で形成するために別途加工が必要で手間がかかり、また薄肉部では必然的に含まれる繊維の数が減少し、毳立ちが貧弱になるという課題があった。
【先行技術文献】
【特許文献】
【０００６】
【特許文献１】特開２００９−１９６０２１号公報
【発明の概要】
【発明が解決しようとする課題】
【０００７】
本発明は、帯状のシート体に切り込みや薄肉を形成せずとも裂断予定部でシート体を裂断して加工することが可能となる八の字機構を用いたシート体を加工する方法、およびシート体を加工する装置を提供することを課題とする。
【課題を解決するための手段】
【０００８】
本発明のシート体を加工する方法は、帯状のシート体を当該シート体の全幅にわたって上下方向に把持する２対の把持手段によって、シート体を加工する方法であって、前記２対の把持手段を平面視で八の字状に配置する工程と、前記２対の把持手段によってシート体を上下方向に把持する工程と、前記２対の把持手段同士が互いに平面視で略平行になるように、前記２対の把持手段を互い近づく方向に移動させ、前記２対の把持手段の間で、前記シート体に折目をつける工程と、前記２対の把持手段を略平行状態を保ちながら、前記シート体に互いに離れる方向への張力を与えることによって、前記シート体を前記折目に沿って裂く工程と、を有するシート体を加工する方法に関する。
【０００９】
係る方法によれば、シート体の全幅にわたって上下方向にシート体を把持する２対の把持手段が平面視で八の字状に配置され、２対の把持手段がシート体を把持した状態で２対の把持手段同士が互いに平面視で略平行になるように、２対の把持手段を互い近づく方向に移動することにより、２対の把持手段の間で、シート体に折目をつけることが可能である。続いて、２対の把持手段を略平行状態を保ちながら、シート体に互いに離れる方向への張力を与えることによって、シート体を折目に沿って裂いて加工することができる。
【００１０】
具体的には、平面視で八の字状に配置された２対の把持手段が、互い近づく方向に移動し折目が付けられたシート体では、シート体を裂く工程において、必ず最初に把持手段の八の字の狭まっていた側の折目の端部に張力が集中するため、該端部から裂断し始める。裂断とともに張力が集中する箇所は、把持手段の八の字の広がっていた側へ移動する。したがって、裂く工程において、張力が一点に集中するため、比較的弱い張力で効率的にシート体を裂いて加工することが可能である。
【００１１】
これにより、シート体に横方向の張力を与えて裂断するため、シート体の繊維が左右均等に抜けて、裂断部の毳立ちも均等でより美感に優れる。
【００１２】
また係る方法によれば、２対の把持部を八の字状の配置から略平行状態に移動させてシート体に折目をつけるので、シート体に予め薄肉部を形成したり、切り込みを入れなくても、折目に沿ってシート体を裂いて加工することができる。加えてシート体に薄肉を形成する必要がないということは、薄肉を形成するためにシート体の繊維の量を減らす必要がなく、より繊維の多い毳立ちを有する裂断部を提供することが可能である。
【００１３】
前記折目をつける予定位置が前記２対の把持手段の間になるように、前記シート体を移動させる工程をさらに有することが好ましい。
【００１４】
上記のような工程を含むことで、印刷が連続するシート体を加工するときでも、印刷と印刷の間で折目をつける予定位置でシート体を裂くことが可能となり、不良品の発生率を下げることができる。
【００１５】
前記２対の把持手段は、それぞれ上側把持手段と下側把持手段を有する構成であることが好ましい。
【００１６】
係る構成によれば、上側把持手段と下側把持手段によって上下両方向からシート体を把持するため、より確実なシート体の把持が可能となる。さらに確実な把持によって、２対の把持手段が平面視で八の字状の配置から、略平行の配置に移動して折目をつけるときに、シート体が把持手段で滑って、折目をつける予定位置がずれることを抑制することができる。
【００１７】
前記２対の把持手段によって平面視で八の字状に形成される角度は、１０°乃至２０°であることが好ましい。
【００１８】
角度が１０°より小さい場合、シート体の裂断時の張力を十分に減少させることができない。角度が２０°より大きい場合、シート体の裂断時の張力は２０°と比較してさほど減少しない。一方シート体に余分な折目やシワなどが形成されるため適切ではない。したがって、充分に張力を低下させることができ、且つシート体に余分な折目やシワなどがつく虞も少ないため、２対の把持手段によって形成される八の字の角度が１０°乃至２０°が好ましい。
【００１９】
前記２対の把持手段は、それぞれ少なくとも１つのローラを有し、前記張力は、前記ローラの回転によって与えられてもよい。
【００２０】
係る構成によれば、把持部の横方向の移動の代わりにローラによって張力を与えるので、張力を与えるときに把持手段を互いに離れる方向に移動させる必要がないため把持手段の可動域を小さく抑えることができる。
【００２１】
前記張力は、前記２対の把持手段が互いに離れる方向に移動することで与えられてもよい。
【００２２】
係る構成によれば、把持手段の移動方向とシート体に与えられる張力の方向は同一方向であるため、シート体にかかる張力を移動量で確認し易いため、張力の調整も容易である。
【００２３】
前記シート体は、紙であることが好ましい。
【００２４】
紙は、折目がつけ易く、また繊維が毳立ち易い素材であるため好適に使用することができる。
【００２５】
本発明のシート体を加工する装置は、帯状のシート体を加工する装置であって、平面視で八の字状に配置され、前記シート体を全幅にわたって上下方向に把持する２対の把持手段と、前記２対の把持手段を略平行になるよう、前記２対の把持手段を互いに近づく方向に移動させ、前記２対の把持手段の間で、前記シート体に折目をつける第１駆動手段と、前記２対の把持手段を略平行状態を保ちながら、前記シート体に互いに離れる方向への張力を与えることによって、前記シート体を前記折り目に沿って裂く第２駆動手段と、を備えるシート体を加工する装置に関する。
【００２６】
係る装置によれば、シート体の全幅にわたって上下方向にシート体を把持する２対の把持手段が平面視で八の字状に配置され、２対の把持手段がシート体を把持した状態で２対の把持手段同士が互いに平面視で略平行になるように、第１駆動手段によって互い近づく方向に移動させられることにより、２対の把持手段の間でシート体に折目をつけることが可能である。続いて、２対の把持手段は略平行状態を保ちながら、第２駆動手段がシート体に互いに離れる方向への張力を与えることによって、シート体を折目に沿って裂いて加工することができる。
【００２７】
具体的には、平面視で八の字状に配置された２対の把持手段が、互い近づく方向に移動し折目が付けられたシート体では、シート体を裂断時において、必ず最初に把持手段の八の字の狭まっていた側の折目の端部に張力が集中するため、該端部から裂断し始める。裂断とともに張力が集中する箇所は、把持手段の八の字の広がっていた側へ移動する。したがって、裂く工程において、張力が一点に集中するため、比較的弱い張力で効率的にシート体を裂いて加工することが可能である。
【００２８】
これによって、シート体に横方向の張力を与えて裂断するため、シート体の繊維が左右均等に抜けて、裂断部の毳立ちも均等でより美感に優れる。
【００２９】
また係る装置によれば、２対の把持部を八の字状の配置から略平行状態に移動させてシート体に折目をつけるので、シート体に予め薄肉部を形成したり、切り込みを入れなくても、折目に沿ってシート体を裂いて加工することができる。加えてシート体に薄肉を形成する必要がないということは、薄肉を形成するためにシート体の繊維の量を減らす必要がなく、より繊維の多い毳立ちを有する裂断部を提供することが可能である。
【００３０】
さらに、平面視で八の字状に配置された２対の把持手段が、互い近づく方向に移動し折目が付けられたシート体では、シート体を裂断時において、必ず最初に把持手段の八の字の狭まっていた側の折目の端部に張力が集中するため、該端部から裂断し始める。裂断とともに張力が集中する箇所は、把持手段の八の字の広がっていた側へ移動する。したがって、裂く工程において、張力が一点に集中するため、比較的弱い張力で効率的にシート体を裂いて加工することが可能である。
【００３１】
前記シート体に前記折目をつける位置を決定し、前記折目をつける位置を合わせるために前記シート体を横方向に移動させる位置合わせ手段をさらに備えることが好ましい。
【００３２】
係る手段をさらに備えることで、印刷が連続するシート体を加工するときでも、印刷と印刷の間で折目をつける予定位置でシート体を裂くことが可能となり、不良品の発生率を下げることができる。
【００３３】
前記２対の把持手段は、それぞれ上側把持手段と下側把持手段を有する構成であることが好ましい。
【００３４】
係る構成によれば、上側把持手段と下側把持手段によって上下両方向からシート体を把持するため、より確実なシート体の把持が可能となる。さらに確実な把持によって、２対の把持手段が平面視で八の字状の配置から、略平行の配置に移動して折目をつけるときに、シート体が把持手段で滑って、折目をつける予定位置がずれることを抑制することができる。
【００３５】
前記２対の把持手段によって平面視で八の字状に形成される角度は、１０°乃至２０°であることが好ましい。
【００３６】
角度が１０°より小さい場合、シート体の裂断時の張力を十分に減少させることができない。角度が２０°より大きい場合、シート体の裂断時の張力は２０°と比較してさほど減少せず、シート体に余分な折目やシワなどが形成されるため適切ではない。したがって、充分に張力を低下させることができ、且つシート体に余分な折目やシワなどがつく虞も少ないため、２対の把持手段によって形成される八の字の角度が１０°乃至２０°が好ましい。
【００３７】
前記２対の把持手段は、それぞれ少なくとも１つのローラを備え、前記第２駆動手段は、前記少なくとも１つのローラを回転させる構成であり、前記張力は、前記ローラの回転によって与えられる構成であってもよい。またローラは、装置にシート体を供給する手段として使用することもできる。
【００３８】
係る構成によれば、張力を与えるときに把持手段を互いに離れる方向に移動させる必要がないため把持手段の可動域を小さく抑えることができる。
【００３９】
前記ローラが回転によって、前記シート体に張力が付与されるときに、前記２対の把持手段が略平行の位置から移動しないように（ずれないように）保持する保持手段をさらに備える構成であってもよい。
【００４０】
係る構成によれば、ローラが回転するときにローラがブレないので、シート体の折目でより確実に裂断することが可能となる。
【００４１】
前記第２駆動手段は、前記２対の把持手段を互いに離れる方向で且つ、横方向に移動させる構成であり、前記張力は、前記２対の把持手段の前記移動によって与えられる構成であってもよい。
【００４２】
係る構成によれば、把持手段の移動方向とシート体に与えられる張力の方向は同一方向であるため、シート体にかかる張力を移動量で確認し易いため、張力の調整も容易である。
【発明の効果】
【００４３】
本発明の八の字機構を用いたシート体を加工する方法、およびシート体を加工する装置によれば、シート体に予め薄肉部を形成したり、切り込みを入れなくても、折目に沿ってシート体を裂いて加工することができる。
【００４４】
折目が裂断予定部となるためシート体に予め薄肉を形成する必要がない。薄肉を形成するとシート体が薄くなった分、含まれる繊維の量が減少し、加工後の毳立ちが貧弱になるという課題を解決する効果を奏することが可能である。
【００４５】
さらに、シート体の裂断時において、張力が一点に集中するため、比較的弱い張力で効率的にシート体を裂いて加工することが可能である。
【図面の簡単な説明】
【００４６】
【図１】本発明の第１の実施形態に係るシート体を加工する装置を示す斜視図である。
【図２】図１に示す本発明に係る装置を用いてシート体を加工する場合における、シート体および把持手段の動きを示す概略説明図である。
【図３】２対の把持手段によって形成される八の字状の角度と、シート体を裂断するときの張力の関係を示す図である。
【図４】本発明の第２の実施形態に係る装置を用いてシート体を加工する場合における、シート体および把持手段の動きを示す概略説明図である。
【発明を実施するための形態】
【００４７】
つぎに図面を参照しながら本発明のシート体を加工する方法、およびシート体を加工する装置の実施形態についてさらに詳細に説明する。
【００４８】
なお、本明細書の実施形態においてシート体は、地面に対してシート体の面が平行に配置されているものとして説明をする。しかしながら、本発明はこれに限定して理解されるべきではない。
【００４９】
本発明において、シート体の長手方向を装置における横方向（左右方向）、シート体の幅方向を装置における前後方向、および地面に対して垂直方向を上下方向とする。
【００５０】
本発明において、「加工」とは、シート体を裂くおよび、裂断することをいう。また「裂く」と「裂断」は同義のものとして扱うこととする。
【００５１】
本発明において、シート体とは紙、不織布、および／またフェルトなどの繊維を織ったり編んだりせずに、繊維を絡み合わせた素材であり、一方の面に印刷が連続的に施された上下方向に薄いシート形状のものをいう。特に紙は、折目がつけ易く、また裂断したときに繊維が毳立ち易い素材であるため好適に使用することができる。さらに紙の内でも和紙（日本紙）は繊維が長く、裂断したときに特に毳立ち易く、薄くても丈夫で、且つ独特の風合いが高級感や美感を起こすため特によい。
【００５２】
本明細書の実施形態においては、シート体を加工して製造したものは日本酒やウイスキー等の容器に貼着するラベルとして使用するものとして説明をする。しかしながら、本発明はこれに限定して理解されるべきではない。
【００５３】
＜第１実施形態＞
図１は、本発明の第１の実施形態に係るシート体を加工する装置（１００）（以下、装置（１００）と略）を示す斜視図であり、図２は装置（１００）の把持手段（１０１）およびシート体（４１０）の動きを示す概略説明図である。
【００５４】
第１の実施形態に係る装置（１００）は、主要な構成として２対の把持手段（１０１）、第１駆動手段（１１０）および第２駆動手段（１２０）を備える。
【００５５】
２対の把持手段（１０１）は、シート体（４１０）の全幅以上の長さを有し、左右に形成された部材が対になった構成であり、上下方向にシート体（４１０）を把持する。
【００５６】
また２対の把持手段（１０１）は、それぞれ少なくとも１つのローラを有し、具体的には左上側把持ローラ（１０１ａ）、左下側把持ローラ（１０１ｂ）、右上側把持ローラ（１０１ｃ）、および右下側把持ローラ（１０１ｄ）によって構成されている。
【００５７】
図１においては、左上側把持ローラ（１０１ａ）、左下側把持ローラ（１０１ｂ）、右上側把持ローラ（１０１ｃ）、および右下側把持ローラ（１０１ｄ）の全てがローラによって構成されている。しかし、これに限定されず、右側および左側にそれぞれ１つローラを備える構成であってもよい。これについて例をあげると、左上側把持ローラ（１０１ａ）および右上側把持ローラ（１０１ｃ）を回転するローラで構成し、左下側把持ローラ（１０１ｂ）および右下側把持ローラ（１０１ｄ）を回転しない部材で置換したと構成してもよい。このような構成であっても本発明の目的は達成される。
【００５８】
これらのローラ（１０１ａ、１０１ｂ、１０１ｃ、１０１ｄ）は、ローラの回転によってシート体（４１０）を取り込んで２対の把持手段（１０１）に把持させたり、またシート体（４１０）から分離したラベル（４００）を２対の把持手段（１０１）から押し出す運搬手段としての機能も有する。
【００５９】
２対の把持手段（１０１）は、図２（ａ）で示されるようにシート体を把持するときは、八の字状に配置されている。続いて２対の把持手段（１０１）は、第１軸部（１１１）を介して第１駆動手段（１１０）によって図２（ａ）の矢印（Ｔ）で示される互いに近づく方向（横方向）に移動させる。移動させられた２対の把持手段（１０１）は図２（ｂ）で示されるように略平行になる。第１駆動手段（１１０）として、電動モータなどを使用することができる。
【００６０】
図２においては、２対の把持手段（１０１）は左右両方が近づく方向に移動しているが、左右どちらか一方のみが移動して略平行になる構成であってもよい。
【００６１】
２対の把持手段（１０１）が略平行になったとき、シート体（４１０）に折目（４２０）がつけられ、この折目（４２０）がシート体（４１０）の裂断予定部となる。また２対の把持手段（１０１）がシート体（４１０）の全幅以上の長さを有しているため、シート体（４１０）の全幅にわたって折目（４２０）をつけることができる。なお折目（４２０）は、図２で示されるように上向きに折れる山折りでもよく、図示されないが下向きに折れる谷折りでもよい。
【００６２】
第２駆動手段（１２０）はローラを回転させるための電動モータなどによって構成されており、２対の把持手段（１０１）のローラの少なくとも１つを回転させる。なお限定されないが、全てのローラを回転させる構成であることが好ましい。
【００６３】
シート体（４１０）に折目（４２０）がつけられると、第２駆動手段（１２０）が第２軸部（１２１）を介して２対の把持手段（１０１）のローラをＲ方向に回転させて、シート体（４１０）に張力を与える。ローラが回転しているとき、２対の把持手段（１０１）は略平行、および一定の距離（Ｄ１）を維持する。
【００６４】
このとき張力は、必ず最初に折目（４２０）の装置（１００）の後方側（すなわち、２対の把持手段（１０１）の八の字の狭まっていた側）の端部に集中する。よって図２（ｃ）で示されるように、折目（４２０）の装置後方側の端部から裂け始めて、シート体（４１０）に裂断部（４３０）が形成される。裂断とともに張力が集中する箇所（点（Ｐ））は、装置（１００）の前方側（すなわち、２対の把持手段（１０１）の八の字の広がっていた側）へ移動する。
【００６５】
上記の構成を備えることで、従来の装置では、裂断時に張力は裂断予定部の全体に均等にかかっていたが、本実施形態にかかる装置（１００）では、張力が点（Ｐ）の一点に集中するため、比較的弱い張力で効率的にシート体（４１０）を加工することができるという効果を有する。
【００６６】
また本実施形態にかかる装置（１００）では、張力が折目（４２０）の
一点（点（Ｐ））に集中するため、裂断予定部である折目（４２０）以外の部分で、シート体（４１０）が裂断される虞が低い。
【００６７】
さらに、折目（４２０）が裂断予定部となるためシート体（４１０）に予め薄肉を形成する必要がない。薄肉を形成するとシート体（４１０）が薄くなった分、含まれる繊維の量が減少し、加工後の毳立ちが貧弱になるという課題を解決する効果を発揮できる。
【００６８】
その後、２対の把持手段（１０１）のローラの回転に伴って、裂断は折目（４２０）に沿って、装置（１００）の前方側に進行し、図２（ｄ）で示されるように、ラベル（４００）がシート体（４１０）から分離する。このときラベル（４００）は、ローラの回転によって横方向に移動した（押し出された）ため、２対の把持手段（１０１）によって把持されていない。また裂断部（４３０）は、ラベル（４００）に含まれる繊維が毳立った状態である。
【００６９】
また装置（１００）は、シート体（４１０）に張力を付与するために２対の把持手段（１０１）のローラが回転しているときに、２対の把持手段（１０１）が略平行の位置から移動しないように（ずれないように）保持する保持手段（図示せず）を備えても良い。
【００７０】
保持手段を備えることによって、ローラが回転するときにローラがブレないので、折目（４２０）で確実にシート体（４１０）を裂断することが可能となる。
【００７１】
＜２対の把持手段によって形成される八の字の角度＞
２対の把持手段によって形成される八の字の角度を変えて、それぞれの角度でシート体を裂断するときの張力の測定試験を実施した。
【００７２】
（１．試験方法）
１．引っ張り試験機：東洋精機製作所製、ストログラフＭ−５０型
２．引っ張り試験機のクランプ上昇速度：５００ｍｍ／ｓ
３．シート体：和紙（２種類）
４．測定方法：和紙を半分に折り、０、５、１０、２０、４０、および６０°の角度にて和紙の上下をクランプで挟んだ。下側のクランプを固定し、上側のクランプを引っ張り試験機で上昇させ、和紙を裂断した。和紙が裂断したときの張力を測定した。なお測定は、各角度、各和紙で４回行い、平均値を算出し記録した。
【００７３】
（２．結果）
図３は、２対の把持手段によって形成される八の字の角度と、シート体を裂断するときの張力の関係を示す図である。
【００７４】
図３で示されるように、各角度、各和紙での張力は、角度が０°では和紙１が４３００ｇ、和紙２が２０５０ｇ、角度が５°では和紙１が２７５０ｇ、和紙２が６８３ｇ、角度が１０°では和紙１が１６８８ｇ、和紙２が４７８ｇ、角度が２０°では和紙１が１２００ｇ、和紙２が３７８ｇ、角度が４０°では和紙１が９１９ｇ、和紙２が２９０ｇ、角度が６０°では和紙１が６１９ｇ、和紙２が２１７ｇであった。
【００７５】
このことより角度が０°および５°では、張力が大きく効率的な裂断ができないことがわかる。一方角度が１０°より大きいと張力が小さくなり、効率的な裂断が可能となっていることがわかる。しかし角度が２０°より大きくなっても、張力の減少率はさほど変化しない。また角度が大きくなりすぎると、シート体に余分な折目やシワなどがつく虞が高くなる。
【００７６】
したがって、２対の把持手段によって形成される八の字の角度が１０°乃至２０°であれば、充分に張力を低下させることができ、且つシート体に余分な折目やシワなどがつく虞も少ないため優れている。
【００７７】
＜第２実施形態＞
図４は、本発明の第２の実施形態に係るシート体を加工する装置を用いてシート体を加工する場合における、シート体および把持手段の動きを示す概略説明図である。
【００７８】
第２の実施形態に係るシート体を加工する装置では、２対の把持手段（３０１）は左上側把持手段（３０１ａ）、左下側把持手段（３０１ｂ）、右上側把持手段（３０１ｃ）、および右下側把持手段（３０１ｄ）によって構成されている。
【００７９】
この２対の把持手段（３０１）の形状は、四角柱、円柱などであり得る。２対の把持手段（３０１）は、シート体（４１０）の全幅以上の長さを有し、左右に形成された部材が対になった構成であり、上下方向にシート体（４１０）を把持する。
【００８０】
２対の把持手段（３０１）は、上下移動手段（図示せず）によって上下方向に移動させられ、シート体（４１０）を把持することができる。この上下移動手段として、例えばピストンを上下させる構成として２対の把持手段（３０１）に接続してもよい。
【００８１】
２対の把持手段（３０１）は、図４（ａ）で示されるようにシート体（４１０）を把持するときは、八の字状に配置されている。続いて２対の把持手段（３０１）は、第１駆動手段（図示せず）によって図４（ａ）の矢印（Ｔ）で示される互いに近づく方向（横方向）に移動させられて、２対の把持手段（３０１）は図４（ｂ）で示されるように略平行になる。
【００８２】
図４においては、２対の把持手段（３０１）は左右両方が近づく方向に移動しているが、左右どちらか一方のみが移動して略平行になる構成であってもよい。
【００８３】
２対の把持手段（３０１）が略平行になったとき、シート体（４１０）に折目（４２０）がつけられ、この折目（４２０）がシート体（４１０）の裂断予定部となる。また２対の把持手段（３０１）がシート体（４１０）の全幅以上の長さを有しているため、シート体（４１０）の全幅にわたって折目（４２０）をつけることができる。なお折目（４２０）は、図４で示されるように上向きに折れる山折りでもよく、図示されないが下向きに折れる谷折りでもよい。
【００８４】
第２の実施形態において、第２駆動手段（図示せず）は、シート体（４１０）を把持した状態の２対の把持手段（３０１）を、図４の矢印（Ｆ）で示されるように互いに離れる方向（横方向）に移動させる構成である。第２駆動手段によって２対の把持手段（３０１）は、略平行を維持したまま、図５のＤ２、Ｄ３、Ｄ４で示されるように互いに離れていく。
【００８５】
シート体（４１０）に折目（４２０）がつけられると、第２駆動手段が２対の把持手段（３０１）を互いに離れる方向に移動させて、シート体（４１０）に張力を与える。このとき２対の把持手段（３０１）によって与えられる張力も第１の実施形態と同様に、必ず最初に折目（４２０）の２対の把持手段（３０１）の八の字の狭まっていた側の端部に集中する。よって図４（ｃ）で示されるように、折目（４２０）の後方側の端部から裂け始めて、シート体（４１０）に裂断部（４３０）が形成される。裂断とともに張力が集中する箇所（点（Ｐ））は、２対の把持手段（３０１）の八の字の広がっていた側へ移動する。
【００８６】
その後、２対の把持手段（３０１）の横方向の移動に伴って、裂断は折目（４２０）に沿って、前方側に進行し、図４（ｄ）で示されるように、ラベル（４００）がシート体（４１０）から分離する。このときラベル（４００）は、２対の把持手段（３０１）に把持されたままである。また裂断部（４３０）は、ラベル（４００）に含まれる繊維が毳立った状態である。
【００８７】
＜第３実施形態＞
シート体を加工する装置は、折目（４２０）をつける位置を決定し、折目（４２０）をつける位置を合わせるために、シート体（４１０）を横方向に移動させる位置合わせ手段（図示せず）を備えてもよい。
【００８８】
位置合わせ手段を備えることで、シート体（４１０）を加工しラベル（４００）を製造するときに、連続的に印刷されたシート体（４１０）の印刷と印刷の間で折目をつける予定位置でシート体を裂くことが可能となり、不良品の発生率を下げることができる。
【００８９】
この位置合わせ手段としては、例えば、センサ、カメラ、あるいはシート体（４１０）の送り量を測定するロータリエンコーダなどを使用することができる。
【産業上の利用可能性】
【００９０】
本発明は、帯状のシート体に切り込みや薄肉を形成せずとも裂断予定部でシート体を裂断して加工することが可能となるシート体を加工する方法、およびシート体を加工する装置を提供すること可能である。
【００９１】
日本酒やウイスキーなどの酒類、化粧品、和菓子、または日本茶などの容器に貼着し、高級感や美感を起こすラベルを提供することが可能である。
【符号の説明】
【００９２】
１００          シート体を加工する装置
１０１          ２対の把持手段
１０１ａ        左上側把持ローラ
１０１ｂ        左下側把持ローラ
１０１ｃ        右上側把持ローラ
１０１ｄ        右下側把持ローラ
１１０          第１駆動手段
１１１          第１軸部
１２０          第２駆動手段
１２１          第２軸部
４００          ラベル
４１０          シート体
４２０          折目
４３０          裂断部
【図１】
2019126870.tif 000003
【図２】
2019126870.tif 000004
【図３】
2019126870.tif 000005
【図４】
2019126870.tif 000006